(57)【要約】      （修正有）【課題】表裏両面使用できる経済的なリバーシブル付箋を提供する。【解決手段】付箋紙本体１の最端につまみ部２を設け境界にミシン目７を引き、その内側の表面に折り返し部表面３、裏面に折り返し部裏面４を設け境界にミシン目８を引く。さらに、その内側の表面に接着部表面５、裏面に接着部裏面６を設け、その内側の表面に記入欄表面９、裏面に記入欄裏面１０を設ける。【選択図】図１
0003211973.tif 000002
【実用新案登録請求の範囲】
【請求項１】
付箋紙本体の最端につまみ部を設け、境界にミシン目を引き、その内側の表裏両面に折り返し部を設け、その内側にもミシン目を引く。
さらに、折り返し部の内側の表裏両面に接着部を設け、その内側の表裏両面に記入欄を設けた両面使用できるリバーシブル付箋を提供する。
【考案の詳細な説明】
【技術分野】
【０００１】  本考案は、表裏両面使用できる付箋紙に関するものである。
【背景技術】
【０００２】  従来の付箋は、片面（裏面）にのみ接着部を設け、片面（表面）にのみ項目を記入し使用後は捨てていた。
【考案の概要】
【考案が解決しようとする課題】
【０００３】  従来の付箋は、裏面にのみ接着部を設け、表面にのみ項目を記入し任意の媒体に貼っていた。ゆえに、裏面は未記入で捨てていたので不経済だった。
【課題を解決するための手段】
【０００４】付箋紙本体の最端につまみ部を設け、境界にミシン目を引き、その内側の表裏両面に折り返し部を設け、その内側にもミシン目を引く。さらに、折り返し部の内側の表裏両面に接着部を設け、その内側の表裏両面に記入欄を設けた両面使用できるリバーシブル付箋を提供する。
【考案の効果】
【０００５】  付箋の表裏両面を使用できるので、経済的であり、資源を無駄にしないので環境にやさしくエコロジーである。
【図面の簡単な説明】
【０００６】
【図１】リバーシブル付箋斜視図である。
【図２】リバーシブル付箋原紙斜視図である。
【図３】リバーシブル付箋台紙付斜視図である。
【図４】リバーシブル付箋束Ａ斜視図である。
【図５】リバーシブル付箋連結の斜視図である。
【図６】リバーシブル付箋束Ｂ斜視図である。
【図７】リバーシブル付箋束Ｃ斜視図である。
【図８】ａ：リバーシブル付箋実使（表面）の平面図である。ｂ：リバーシブル付箋実使（裏面）の平面図である。
【図９】リバーシブル付箋実使（裏面未記入）の平面図である。
【図１０】リバーシブル付箋実使開（表裏記入後、折り返し部を３６０度回転させた）斜視図である。
【図１１】リバーシブル付箋束Ａ（最上の一枚の折り返し部を外に開いた）の斜視図である。
【図１２】リバーシブル付箋インデックスの斜視図である。
【図１３】リバーシブル付箋インデックスの途中図である。
【図１４】リバーシブル付箋インデックスの完成図である。
【図１５】リバーシブル付箋の正面図である。
【図１６】Ｐリバーシブル付箋原紙平面図である。
【図１７】Ｐリバーシブル付箋原紙開平面図である。
【図１８】ペンホルダーの平面図である。
【図１９】ペンホルダーの縦横の平面図である。
【図２０】ペンホルダーの縦横の実使の平面図である。
【考案を実施するための形態】
【０００７】図１が示すように、（１）付箋紙本体の最端に（２）つまみ部を設け境界に（７）ミシン目ａを引き、その内側の表面に（３）折り返し部表面、裏側に（４）折り返し部裏面を設け境界に（８）ミシン目ｂを引く。さらに、その内側の表面に（５）接着部表面、裏面に（６）接着部裏面を設け、その内側の表面に（９）記入欄表面、裏面に（１０）記入欄裏面を設ける。本考案は、以上の構成より成っている。
【０００８】図１、図２に示される実施の形態：図１が示すように、（２）つまみ部を指で持ち（３）折り返し部表面を（８）ミシン目ｂから１８０度折り曲げ（５）接着部表面と貼り合わせ、図２が示すように、（１２）リバーシブル付箋原紙になる。
【０００９】以下にリバーシブル付箋の束ねる方法について説明する。
「方法１」
図２、図３、図４に示される実施の形態：図２の（１２）リバーシブル付箋原紙の（６）接着部裏面と図３が示すように、（１３）台紙を貼ったものが（１４）リバーシブル付箋台紙付になる。次に、図２の（１２）リバーシブル付箋原紙の（６）接着部裏面を図３の（１４）リバーシブル付箋台紙付の（４）折り返し部裏面の上に貼る。この一連の動作を複数回繰り返すと図４が示すように、（１５）リバーシブル付箋束Ａになる。
「方法２」
図２、図３、図５、図６に示される実施の形態：図２が示すように、（１２）リバーシブル付箋原紙の（６）接着部裏面を図３の（１４）リバーシブル付箋台紙付の（１７）後端面に貼ると図５の（１６）リバーシブル付箋連結になる。この一連の動作を繰り返すと図６の（１８）リバーシブル付箋束Ｂになる。
「方法３」
図２、図７に示される実施の形態：図２が示すように、（１２）リバーシブル付箋原紙の（６）接着部裏面を図７の（１９）台紙大に貼り付ける。一連の動作を複数回繰り返したものが（２０）リバーシブル付箋束Ｃになる。
【００１０】以下使用例について図４の（１５）リバーシブル付箋束Ａを使って説明する。
「使用例１」
図４、図８ａ、図８ｂ、図９、図１０に示される実施の形態：図４が示すように、（１５）リバーシブル付箋束Ａの最上の（１２）リバーシブル付箋原紙の（９）記入欄表面に項目を記入し、はがして図８ａが示すように、（２１）任意の媒体に貼った状態が（２２）リバーシブル付箋実使である。使用後は、（２２）リバーシブル付箋実使を（２１）任意の媒体からはがし、ひっくり返して図９が示すように、（２１）任意の媒体の上に置く。（１０）記入欄裏面に項目を記入し、図１０が示すように、（２）つまみ部を指で持ち（３）折り返し部表面と（５）接着部表面をはがして（８）ミシン目ｂから３６０度折り返して（４）折り返し部裏面を（６）接着部裏面と貼り合わせ、（５）接着部表面を図８ｂが示すように、（２１）任意の媒体に貼る。以上が、表裏両面使用できるリバーシブル付箋の使用例である。
「使用例２」
図４、図１１、図１２、図１３に示される実施の形態：図４が示すように、（１５）リバーシブル付箋束Ａの最上の（１２）リバーシブル付箋原紙の（２）つまみ部を持ち（３）折り返し部表面と（５）接着部表面をはがし、図１１が示すように、外側に開く。次に、（１１）先端部と（８）ミシン目ｂとの中間である（２３）折り目部から外側に折り曲げ（１１）先端部と（５）接着部表面を貼り合わせたものが、図１２が示すように、（２４）リバーシブル付箋インデックスになる。（２５）見出し部に項目を記入し、はがして、図１３が示すように、（２１）任意の媒体に貼り、（８）ミシン目ｂから切り取ったものが、図１４が示すように（２６）リバーシブル付箋見出しになる。
「使用例３」
図１６、図１７、図１８、図１９、図２０に示される実施の形態：図１６が示すように、縦長の（２７）Ｐリバーシブル付箋原紙を用い（２８）Ｐつまみ部を持ち（２９）Ｐ折り返し部を外側に開いたものが図１７が示すように、（３０）リバーシブル付箋開になる。次に、（３４）Ｐ先端部を折り曲げ（３２）Ｐミシン目ｂに合わせ、（３３）Ｐ接着部表面に貼り、図１８が示すように、（３５）ペンホルダーになる。次に、（３６）接着部裏面を図１９が示すように、（３７）Ｐ任意の媒体に貼ったものが（３８）ペンホルダー縦（３９）ペンホルダー横になる。次に、図２０が示すように、ペンを差したものが（４０）ペンホルダー実使縦（４１）ペンホルダー実使横になり、何ページまで読んだか分かるしおりとしても使用できる。
【符号の説明】
【００１１】（１）    付箋紙本体
（２）    つまみ部
（３）    折り返し部表面
（４）    折り返し部裏面
（５）    接着部表面
（６）    接着部裏面
（７）    ミシン目ａ
（８）    ミシン目ｂ
（９）    記入欄表面
（１０）  記入欄裏面
（１１）  先端部
（１２）  リバーシブル付箋原紙
（１３）  台紙
（１４）  リバーシブル付箋台紙付
（１５）  リバーシブル付箋束Ａ
（１６）  リバーシブル付箋連結
（１７）  後端部
（１８）  リバーシブル付箋束Ｂ
（１９）  台紙大
（２０）  リバーシブル付箋束Ｃ
（２１）  任意の媒体
（２２）  リバーシブル付箋実使
（２３）  折り目部
（２４）  リバーシブル付箋インデックス
（２５）  見出し部
（２６）  リバーシブル付箋見出し
（２７）  Ｐリバーシブル付箋原紙
（２８）  Ｐつまみ部
（２９）  Ｐ折り返し部
（３０）  Ｐリバーシブル付箋原紙開
（３１）  Ｐミシン目ａ
（３２）  Ｐミシン目ｂ
（３３）  Ｐ接着部表面
（３４）  Ｐ先端部
（３５）  ペンホルダー
（３６）  Ｐ接着部裏面
（３７）  Ｐ任意の媒体
（３８）  ペンホルダー縦
（３９）  ペンホルダー横
（４０）  ペンホルダー実使縦
（４１）  ペンホルダー実使
【図１】
0003211973.tif 000003
【図２】
0003211973.tif 000004
【図３】
0003211973.tif 000005
【図４】
0003211973.tif 000006
【図５】
0003211973.tif 000007
【図６】
0003211973.tif 000008
【図７】
0003211973.tif 000009
【図８ａ】
0003211973.tif 000010
【図８ｂ】
0003211973.tif 000011
【図９】
0003211973.tif 000012
【図１０】
0003211973.tif 000013
【図１１】
0003211973.tif 000014
【図１２】
0003211973.tif 000015
【図１３】
0003211973.tif 000016
【図１４】
0003211973.tif 000017
【図１５】
0003211973.tif 000018
【図１６】
0003211973.tif 000019
【図１７】
0003211973.tif 000020
【図１８】
0003211973.tif 000021
【図１９】
0003211973.tif 000022
【図２０】
0003211973.tif 000023
【手続補正書】
【提出日】平成29年6月5日(2017.6.5)
【手続補正１】
【補正対象書類名】実用新案登録請求の範囲
【補正対象項目名】全文
【補正方法】変更
【補正の内容】
【実用新案登録請求の範囲】
【請求項１】
付箋紙本体の最端につまみ部を設け、境界にミシン目を引き、その内側の表裏両面に折り返し部を設け、その内側にもミシン目を引き、さらに、折り返し部の内側の表裏両面に接着部を設け、その内側の表裏両面に記入欄を設けた両面使用できるリバーシブル付箋。